(57)【要約】      （修正有）【課題】コンクリート製の被洗浄躯体の表面に高圧ジェット水を噴射して洗浄後に、洗浄汚水を容易かつ確実に排水し、洗浄済みの被洗浄躯体の表面の汚れを確実に防止し、施工現場での組付、分解が迅速かつ確実に行え、施工性を良くする洗浄汚水排水装置を提供する。【解決手段】コンクリートよりなる建築建造物、または土木構造物の被洗浄躯体１の外壁面２に、傾斜θをつけて流れ方向イに連設されて洗浄汚水Ｗ１を流水可能となす複数個の樋部材３,３・・・と、組立足場４の支柱パイプ５,５・・・に高低差をつけて挟持、固定される複数個のクランプ材６,６・・・と、クランプ材の外側面に設けられた固定手段７により樋部材に対して略同傾斜θにて且つやや低く外壁面に対向して取付けられる固定バー８と、固定バーと樋部材との間の間隔を調整可能に複数個が介装されることにより外壁面に樋部材３,３を押圧保持する保持バー９とを備えている。【選択図】図１
0003155093.tif 000002
【実用新案登録請求の範囲】
【請求項１】
コンクリートよりなる建築建造物または土木構造物の被洗浄躯体の外壁面に高圧ジェット水を噴射して洗浄汚水を排水するものであり、
前記外壁面に端部が接するように設けられ、且つ傾斜をつけて流れ方向に連設されて前記洗浄汚水を流水可能となす複数個の樋部材と、
前記外壁面の前面に対向して立設された組立足場と、
該組立足場の支柱パイプに高低差をつけて挟持、固定される複数個のクランプ材と、
前記クランプ材の外側面に設けられた固定手段により前記樋部材に対して略同傾斜にて且つ前記樋部材よりやや低く位置し前記外壁面に対向して取付けられる固定バーと、
前記固定バーと前記樋部材との間に設けられ、間隔を調整可能に複数個が介装されることにより前記樋部材を前記外壁面に押圧保持する保持バーとを備え、
コンクリートよりなる建築構造物または土木構造物の被洗浄躯体の外壁面に高圧ジェット水を噴射して洗浄汚水を排水する
ことを特徴とする洗浄汚水排水装置。
【請求項２】
前記樋部材が、前記外壁面に当接可能に第１外縁部を前記外壁面に対向する一端に有する断面略Ｕ字状ないしは断面Ｖ字状の樋本体と、前記樋本体の他端に有する第２外縁部の延長線に略一致して前記第１外縁部の下方に設けられた当接縁と、により構成されていることを特徴とする請求項１に記載の洗浄汚水排水装置。
【請求項３】
前記固定バーを前記クランプに取付けるための前記固定手段が、前記固定バーの一端を掛着可能に上方または下方に解放部を有した上部有端止着輪と、前記固定バーの他端を挿着可能にし、上方または下方に解放部を有した下部有端止着輪を有し、該固定手段が前記クランプ材の外側面に上下に連設して構成されていることを特徴とする請求項２に記載の洗浄汚水排水装置。
【請求項４】
一端が前記樋部材に取付けられて他端が前記固定部材の前記上部有端止着輪、または前記下部有端止着輪に掛着可能に取付けられる紐部材をさらに有していることを特徴とする
請求項３に記載の洗浄汚水排水装置。
【考案の詳細な説明】
【技術分野】
【０００１】
本考案は洗浄汚水排水装置に関し、例えば建築構造物または土木構造物でのコンクリート下地材のようにコンクリ−トよりなる被洗浄躯体の外壁面に外装材としてタイルを貼着する場合に、その事前に被洗浄躯体の表面に高圧ジェット水を噴射して洗浄した後に、洗浄汚水を容易かつ確実に排水し、洗浄済みの被洗浄躯体の表面の汚れを確実に防止するものであり、また、施工現場での組付および分解が迅速かつ確実に行え、施工性が良くするものである。
【背景技術】
【０００２】
従来、ビル等の建物の壁面を洗浄清掃する建物の壁面洗浄装置には、壁面側に開放口を有する箱状の筺体を昇降装置で懸垂支持し、該筺体は、ノズルから噴出される高圧ジェット水よりなる洗浄水を外壁面へ噴射する噴射手段と、回転駆動手段によって回転して外壁面をブラッシングするブラシ体とが配設されて成り、かつ該筺体は、建物の屋上縁部と地面との間に張力をもって略垂直に張渡されたガイドワイヤの係合によって、外壁面へ押付けられるようにして洗浄装置を構成し、前記昇降装置は屋上のパラペット上に着脱可能にかつ走行移動可能にして取付けられた移動キャリアと、ガイドワイヤを一定の張力で引張支持する支持機構と、洗浄装置を懸垂支持する支持ワイヤを巻き上げる駆動巻上装置と、から構成され、前記筺体の底部には蛇腹状の排水ダクトを取付けたものがあった（例えば特許文献１参照。）。
【先行技術文献】
【特許文献】
【０００３】
【特許文献１】特開平９−１９５５２０号公報
【考案の概要】
【考案が解決しようとする課題】
【０００４】
しかしながら、特許文献１に記載の上記従来のビル等の建物の壁面洗浄装置は、完成されたビル等の建物の外壁面を洗浄清掃するものであり、しかも、上記従来のビル等の建物の壁面洗浄装置は、このパラペット上に着脱可能にかつ走行移動可能にして取付けられた移動キャリアと、ガイドワイヤを一定の張力で引張支持する支持機構と、洗浄装置を懸垂支持する支持ワイヤとを巻き上げる駆動巻上装置とが装備されていなければ、洗浄水を建物の外壁面へ噴射する噴射手段と、回転駆動手段によって回転して外壁面をブラッシングするブラシ体とが配設された筺体をガイドワイヤの係合により、建物の屋上縁部と地面との間に張力をもって外壁面へ押し付けられるように走行移動させ、噴射手段のノズルから噴出される高圧ジェット水よりなる洗浄水を外壁面へ噴射するとともに、ブラシ体によりブラッシングし、洗浄水散布とブラッシングを併用しなければ、建物壁面の洗浄清掃を行えないものである。
【０００５】
従って、建設中途の建物の外壁面、例えばコンクリート躯体の表面に、タイルを貼着する場合には、洗浄躯体に対するタイルの付着性を向上するのと、かつ、コンクリート躯体に生ずる白化やコンクリート躯体を型枠により成型する場合に、型枠からコンクリート躯体を脱型するのに、型枠の脱型をし易くするのに、型枠に塗布される脱型剤のような油脂成分により生ずる汚れがコンクリ−ト躯体の表面を汚し、しかも、コンクリート躯体のタイルに対する付着性を低下させるという悪影響を防止するために、コンクリート躯体に対してタイルを貼る事前に、被洗浄躯体の表面を高圧ジェット水により噴射して洗浄を行うものとは異なり、完成された建物の外壁面に付着された汚れを高圧ジェット水を吹き付けることよって洗浄するものである。
【０００６】
ところが建物を建設するのには、工期を短縮して効率的に建物を建設するために、洗浄作業をはじめ、その工事手順や作業は、階下から上階へと行われるが、完成された建物の外壁面を洗浄する場合には、反対に建物の上階から階下へと建物の外壁面等の洗浄、清掃等の作業が行われるという事情がある。
【０００７】
また、特許文献１に記載の上記従来のビル等の建物の壁面洗浄装置は、上記のように移動キャリアと、支持機構と、支持ワイヤを巻き上げる駆動巻上装置とが備えられたパラペットが建物の屋上に設けられる必要があるほか、洗浄水を建物の外壁面へ噴射する噴射手段と、回転駆動手段によって回転して外壁面をブラッシングするブラシ体とが筺体に配設され、この筺体の底部には前記外壁面を洗浄後の汚れた洗浄水をタンクに回収するための蛇腹状の排水ダクトを取付けた構成なので、壁面洗浄装置は大規模で大型になり、製作、設備に多くの時間と労力が必要になり、製作費および設備は高価になっていた。
【０００８】
また、上述のように、排水ダクトは、筺体の底部に吊下げ状態に取付けられるので、外壁面の洗浄作業に伴って排水ダクトは、筺体と一緒に常時、移動するものであるため、筺体のスムーズな移動に邪魔になる。そして、排水ダクトは、風圧を受けると、噴射手段を備えた筺体も共に揺れ易く、不安定になるので、建物の外壁面の所望個所を洗浄するのが難しくなり、洗浄には多くの時間がかかり、非能率的であった。
【０００９】
本考案は上記従来の問題を解決し、建築中途の建築構造物、または土木構造物の外壁面
のようなコンクリート下地となるコンクリートよりなる被洗浄躯体の表面を効率的にかつ綺麗な仕上がりにて洗浄が行えるとともに、洗浄済の洗浄汚水の排水が容易かつ確実に行え、また、組立並びに分解等の施工性が良好であり、構造が簡単で製作、並びに設備が容易であり、コストも安価な洗浄汚水排水装置を提供することを目的とする。
【課題を解決するための手段】
【００１０】
本考案の請求項１に記載の考案は、コンクリートよりなる建築建造物または土木構造物の被洗浄躯体の外壁面に高圧ジェット水を噴射して洗浄汚水を排水するものであり、
前記外壁面に端部が接するように設けられ、且つ傾斜をつけて流れ方向に連設されて前記洗浄汚水を流水可能となす複数個の樋部材と、
前記外壁面の前面に対向して立設された組立足場と、
該組立足場の支柱パイプに高低差をつけて挟持、固定される複数個のクランプ材と、
前記クランプ材に設けられた固定手段により前記樋部材に対して略同傾斜にて且つ前記樋部材よりやや低く位置し前記外壁面に対向して取付けられる固定バーと、
前記固定バーと前記樋部材との間に設けられ、間隔を調整可能に複数個が介装されることにより前記樋部材を前記外壁面に押圧保持する保持バーとを備え、
コンクリートよりなる建築構造物または土木構造物の被洗浄躯体の外壁面に高圧ジェット水を噴射して洗浄汚水を排水することを特徴とする。
【００１１】
また、本考案の請求項２に記載の考案は、請求項１において、前記樋部材が、前記外壁面に当接可能に第１外縁部を前記外壁面に対向する一端に有する断面略Ｕ字状ないしは断面Ｖ字状の樋本体と、前記樋本体の他端に有する第２外縁部の延長線に略一致して前記第１外縁部の下方に設けられた当接縁と、により構成されていることを特徴とする。
【００１２】
また、本考案の請求項３に記載の考案は、請求項２において、前記固定バーを前記クランプに取付けるための前記固定手段が、前記固定バーの一端を掛着可能に上方または下方に解放部を有した上部有端止着輪と、前記固定バーの他端を挿着可能にし、上方または下方に解放部を有した下部有端止着輪を有し、該固定手段が前記クランプ材の外側面に上下に連設して構成されていることを特徴とする。
【００１３】
また、本考案の請求項４に記載の考案は、請求項３において、一端が前記樋部材に取付けられて他端が前記固定部材の前記上部有端止着輪、または前記下部有端止着輪に掛着可能に取付けられる紐部材をさらに有していることを特徴とする。
【考案の効果】
【００１４】
本考案の請求項１に記載の考案によれば、コンクリートよりなる建築建造物または土木構造物の被洗浄躯体の外壁面に高圧ジェット水を噴射して洗浄汚水を排水するものであり、前記外壁面に端部が接するように設けられ、且つ傾斜をつけて流れ方向に連設されて前記洗浄汚水を流水可能となす複数個の樋部材と、前記外壁面の前面に対向して立設された組立足場と、該組立足場の支柱パイプに高低差をつけて挟持、固定される複数個のクランプ材と、前記クランプ材に設けられた固定手段により前記樋部材に対して略同傾斜にて且つ前記樋部材よりやや低く位置し前記外壁面に対向して取付けられる固定バーと、前記固定バーと前記樋部材との間に設けられ、間隔を調整可能に複数個が介装されることにより前記樋部材を前記外壁面に押圧保持する保持バーとを備え、コンクリートよりなる建築構造物または土木構造物の被洗浄躯体の外壁面に高圧ジェット水を噴射して洗浄汚水を排水することを特徴とするので、コンクリートよりなる建築建造物、または土木構造物の被洗浄躯体の外壁面に高圧ジェット水を噴射することにより洗浄が行われる。そして、外壁面を洗浄後の洗浄汚水は、前記外壁面に傾斜をつけて流れ方向に連設された複数個の樋部材内を流れ下り、排水が行われる。
【００１５】
そして、この樋部材を建物の外壁面に取付けるのには、先ず前記外壁面の前面に対向して立設された組立足場を利用し、この組立足場の左右の支柱パイプに高低差をつけて複数個のクランプ材が挟持、固定される。次いで、前記クランプ材の外側面に設けられた固定手段により前記樋部材に対して略同傾斜にて且つ前記樋部材よりやや低く前記外壁面に対向して固定バーを取付ける。さらに、この固定バーと前記樋部材との間に、間隔を調整して複数個の保持バーを介装するという簡単な取扱いにより、前記外壁面に前記樋部材は、保持バーにより押圧保持させることにより外壁面に容易かつ確実に取付けられる。また、樋部材を外壁面から取外すのには、固定バーと前記樋部材との間に介装されている保持バーを取外し、組立足場の支柱パイプに高低差をつけて挟持、固定された複数個のクランプ材の固定手段から固定バーを取外し、その後、組立足場の支柱パイプから、クランプ材を取外すことにより分解が行われる。
【００１６】
このように、コンクリートよりなる被洗浄躯体の外壁面の前面に、組立足場を利用して複数個の樋部材を流れ方向に傾斜をつけて連設するという組立と、分解とを建物の階下から上階へと繰返して行うことにより、建築中途の建築構造物、または土木構造物のタイル貼りがなされる外壁のようなコンクリート下地となるコンクリート製の被洗浄躯体の表面を効率的にかつ綺麗な仕上がりにて洗浄が行えるとともに、洗浄済の洗浄汚水の排水を容易かつ確実に行うことができる。また、組立並びに分解等の施工性が良好であり、構造が簡単で製作、並びに設備が容易であり、コストも安価になる。
【００１７】
また、本考案の請求項２に記載の考案によれば、請求項１において、前記樋部材が、前記外壁面に当接可能に第１外縁部を前記外壁面に対向する一端に有する断面略Ｕ字状ないしは断面Ｖ字状の樋本体と、前記樋本体の他端に有する第２外縁部の延長線に略一致して前記第１外縁部の下方に設けられた当接縁と、により構成されているので、樋部材は、断面略Ｕ字状ないしは断面Ｖ字状の樋本体の一端に有する第１外縁部、および樋本体の他端に有する第２外縁部の延長線に略一致して前記第１外縁部の下方に設けられた当接縁とを建物の外壁面に当接した状態で、組立足場の左右の支柱パイプに高低差をつけて挟持、固定されるクランプ材の外側面に設けた固定手段により前記樋部材に対して略同傾斜にて且つ前記樋部材よりやや低く前記外壁面に対向して取付けられた固定バーとの間に、間隔を調整した複数個の保持バーを介装するという簡単な取扱いにより、前記外壁面に保持バーにより押圧保持され、外壁面に容易かつ確実に取付けられる。また、樋部材は、固定バーと前記樋部材との間に介装されている保持バーを固定バーから取外すことにより、分解が行われる。
【００１８】
また、本考案の請求項３に記載の考案によれば、請求項２において、前記固定バーを前記クランプに取付けるための前記固定手段が、前記固定バーの一端を掛着可能に上方または下方に解放部を有した上部有端止着輪と、前記固定バーの他端を挿着可能にし、上方または下方に解放部を有した下部有端止着輪を有し、該固定手段が前記クランプ材の外側面に上下に連設して構成されているので、組立足場の左右の支柱パイプに高低差をつけて挟持、固定されるクランプ材に固定バーを取付けるのには、組立足場の一方の支柱パイプに挟持固定した一方のクランプ材の外側面に連設されて解放部を有する上部有端止着輪と下部有端止着輪とのうち、下部有端止着輪に固定バーの一端を挿着するとともに、固定バーの他端に形成されたリングを組立足場の他方の支柱パイプに挟持固定した他方のクランプ材の外側面に連設されて解放部を有する上部有端止着輪と下部有端止着輪とのうち、上部有端止着輪に掛着することにより、固定バーは傾斜をつけて組立足場の複数本の支柱パイプを利用し、この支柱パイプに挟持、固定されたクランプ材の外側に取付けられた上部有端止着輪と下部有端止着輪とに取付けられる。そして、固定バーの取外しは、クランプ材の外側面に連設された上部有端止着輪から固定バーの一端を脱掛するとともに、固定バーの他端を下部有端止着輪から脱挿することにより行われる。
【００１９】
また、本考案の請求項４に記載の考案によれば、請求項３において、一端が前記樋部材に取付けられて他端が前記固定部材の前記上部有端止着輪、または前記下部有端止着輪に掛着可能に取付けられる紐部材をさらに有しているので、紐部材により樋部材が不用意に落下されるのが防止され、安全である。
【図面の簡単な説明】
【００２０】
【図１】図１は本考案の洗浄汚水排水装置の組付状態の一例を示す斜視図である。
【図２】図２は同じく本実施形態を構成する固定バーと、この固定バーを組立足場に取付けるための固定手段を示す斜視図である。
【図３】図３は樋部材と固定バーとの間の間に保持バーを介在することにより樋部材を取付けた状態の拡大断面図である。
【図４】図４は樋部材を建物の外壁部に取付けた状態の説明的な正面図である。
【考案を実施するための形態】
【００２１】
以下図面に従い、本考案を実施するための最良の形態につき詳細を説明する。
【００２２】
本実施形態は、コンクリートよりなる建築建造物または土木構造物の被洗浄躯体１の外壁面に高圧ジェット水Ｗを噴射して洗浄汚水Ｗ１を排水するものであり、前記外壁面２に端部が接するように設けられ、且つ傾斜θをつけて流れ方向イに、例えば図示する本実施形態では、つづら折り状態に連設されて前記洗浄汚水Ｗ１を流水可能となす複数個の樋部材３,３・・・と、前記外壁面２の前面に対向して立設された組立足場４と、該組立足場４の支柱パイプ５,５・・・に高低差をつけて挟持、固定される複数個のクランプ材６,６・・・と、前記クランプ材６,６・・・に設けられた固定手段７により前記樋部材３,３・・・に対して略同傾斜θにて且つ前記樋部材３,３・・・よりやや低く位置し前記外壁面２に対向して取付けられる固定バー８,８・・・と、前記固定バー８,８・・・と前記樋部材３,３・・・との間に設けられ、間隔Ｋを調整可能に複数個が介装されることにより前記樋部材３,３・・・を前記外壁面２に押圧保持する保持バー９とを備え、コンクリートよりなる建築構造物または土木構造物の被洗浄躯体１の外壁面２に高圧ジェット水Ｗを噴射して洗浄汚水Ｗ１を排水することを特徴とする。
【００２３】
前記被洗浄躯体１は、本実施形態では、コンクリートよりなる建築建造物として、タイル貼りが行われる事前に、下地としてのコンクリートよりなる被洗浄躯体１の外壁面２に、高圧ジェット水Ｗを噴射した後の洗浄汚水Ｗ１を排水する場合に適用したものである。
【００２４】
前記樋部材３が、金属、例えばアルミニウム、ステンレス、または合成樹脂により形成され、前記外壁面２に当接可能に第１外縁部３ｂを前記外壁面２に対向する一端に有する断面略Ｕ字状ないしは断面Ｖ字状の樋本体３ａと、前記樋本体３ａの他端に有する第２外縁部３ｃの延長線Ｉに略一致して前記第１外縁部３ｂの下方に、該第１外縁部３ｂの長さＬ１と略同長さＬ２に設けられた断面円形の当接縁３ｄと、により構成されている。３ｅ,３ｆは前記樋部材３の他側、すなわち、背面側に平行に突設された係止片であり、この係止片３ｅ,３ｆ間には前記保持バー９の前端に装着した押ローラ９ａが押付けられるようになっている。Ｃは前記第１外縁部３ｂの先端に装着されたゴム、スポンジにて形成された止水緩衝部材であり、この止水緩衝部材Ｃにより樋部材３は外壁面２に傷を付けることなく、弾力的に押付けられ、流れ落ちる洗浄汚水Ｗ１を確実に樋部材３,３・・・の樋本体３ａ内に止水し、流れ落とすようになっている。なお、前記樋部材３は、図示するものに限らず、その長さ、高さ、樋本体３ａの深さ、幅の増減変更は自由に行われる。
【００２５】
前記クランプ材６の構造、形式は図示するものに限定されるものではなく、例えば公知のもので良く、要は組立現場４の支柱パイプ５、５・・・に着脱可能に挟持、固定されるものであれば良い。
【００２６】
前記固定手段７が、前記固定バー８の一端８ｂを掛着可能に上方または下方に解放部１０を有した上部有端止着輪１１と、前記固定バー８の他端８ｂを挿着可能にし、上方または下方に解放部１０を有した下部有端止着輪１２と、を前記クランプ材６の外側面に上下に連設して構成されている。
【００２７】
そして、組立足場４の左右の支柱パイプ５,５に高低差をつけて挟持、固定されるクランプ材６,６に固定バー８を取付けるのには、組立足場４の一方（図１においては右側の）支柱パイプ５に挟持、固定した一方（下から一段目の右側）のクランプ材６の外側面に上下に連設された解放部１０を有する上部有端止着輪１１と下部有端止着輪１２とのうち、下部有端止着輪１２に固定バー８の一端８ｂを挿着するとともに、固定バー８の他端８ａに形成されたリング１３を組立足場４の他方（図１においては左側の）の支柱パイプ５に挟持固定した他方（下から一段目の左側の）のクランプ材６の外側面に連設されて上方または下方に解放部１０を有する上部有端止着輪１１と下部有端止着輪１２とのうち、上部有端止着輪１１に掛着することにより、固定バー８は傾斜θをつけて組立足場４の複数本の支柱パイプ５,５・・・を利用し、この支柱パイプ５,５・・・に挟持、固定されたクランプ材６の外側に取付けられた上部有端止着輪１１と下部有端止着輪１２とに取付けられる。また、固定バー８の取外しは、クランプ材６の外側面に連設された下部有端止着輪１２から固定バー８の一端８ｂを脱挿するとともに、固定バー８の他端８ａを上部有端止着輪１１から脱掛することにより行われる。
【００２８】
図１、および図２において、１３は前記固定バー８の少なくとも一端８ａに形成されたリングであり、このリング１３の厚みtは前記解放部１０の幅Ｔよりも肉薄に設けられ、前記リング１３の内径φ１が前記上部有端止着輪１１、および下部有端止着輪１２の設置幅Ｔ１より径大に形成され、前記リング１３の外径φ２が前記上部有端止着輪１１、および下部有端止着輪１２に設けられた縦長孔１１ａ、１２ａの横径Ｑより大径に形成されている。
【００２９】
そして、組立足場４の一方（図１においては右側の）の支柱パイプ５に挟持固定した一方のクランプ材６（下から一段目）の外側面に連設されて解放部１０を有する上部有端止着輪１１と下部有端止着輪１２とのうち、下部有端止着輪１２に固定バー８の一端８ｂを挿着するとともに、固定バー８の他端８ａに形成されたリング１３を組立足場４の他方の支柱パイプ５（図１においては左側の）に挟持固定した他方のクランプ材６（下から一段目）の外側面に連設されて解放部１０を有する上部有端止着輪１１と下部有端止着輪１２とのうち、上部有端止着輪１１に掛着するが、これには上部有端止着輪１１の解放部１０内から前記リング１３の内孔内に上部有端止着輪１１を挿通させてから、固定バー８の他端８ａを他方の支柱パイプ５に挟持、固定された他方のクランプ材６に設けた上部有端止着輪１１に掛着させることにより、図１において下から一段目の固定バー８は右下がりの傾斜θをつけて組立足場４の複数本、図では２本の支柱パイプ５,５を利用し、この支柱パイプ５,５に挟持、固定されたクランプ材６,６の外側に取付けられた上部有端止着輪１１と下部有端止着輪１２とに取付けられる。
【００３０】
前記保持バー９は、図１、および図３に示すように前記押圧ローラ９ａをピストンロッド１４ａの先端に有するガススプリング１４と、複数の係止孔１５ａが長手方向に設けられてガススプリング１４に連結された長さ調整板１５とにより形成される。そして、前記保持バー９を前記固定バー８に対して間隔Ｋを調整してから、固定バー８に着脱自在に取付けるのには、前記固定バー８の外周に摺動可能に外嵌された摺動環１６の外周に軸方向に設けられた断面略Ｌ字状の係止ピン１６ａを前記長さ調整板１５に設けられた複数の係止孔１５ａのうち、適当な間隔Ｋを保持するものと、ガススプリング１４による充分にして適度の押付け力を確保する１つを選び、係入することにより、保持バー９は前記固定バー８に取付けられる。
【００３１】
１７はその一端１７ａが前記樋部材３に結着され、他端にはループ１７ｂが設けられた紐部材としての樋部材結着紐であり、この樋部材結着紐１７は、例えば前記上部有端止着輪１１に係止することにより、外壁面２に取付けた樋部材３が、不用意にが落下するのを防止するためのものである。
【００３２】
本考案の実施形態は以上の構成からなり、コンクリートよりなる建築建造物の被洗浄躯体１の外壁面２に、図には示さない高圧ジェット水Ｗを噴射することにより外壁面２の洗浄が行われる。そして、外壁面２を洗浄後の洗浄汚水Ｗ１は、前記外壁面２に傾斜θをつけて流れ方向イにつづら折り状態に連設された複数個の樋部材３,３・・・内を流れ下り、所望の場所に排水が行われる。
【００３３】
そして、この樋部材３,３・・・を洗浄を行うべき建物の外壁面２に取付けるのには、先ず前記外壁面２の前面に対向して立設された組立足場４を利用し、この組立足場４の複数本、代表的には２本の支柱パイプ５,５に左右の高低差をつけて２個のクランプ材６,６を挟持、固定する。次いで、前記クランプ材６,６の外側面に設けられた固定手段７により設置すべき樋部材３と略同傾斜θにて且つ前記樋部材３よりやや低く前記外壁面２に対向して固定バー８を取付ける。この際、外壁面２に取付けるべき樋部材３,３・・・の傾斜θの増減変更は高圧ジェット水Ｗの供給量、洗浄汚水Ｗ１の排水量に応じて自由に行える。
【００３４】
そして、組立足場４の左右の支柱パイプ５,５に高低差をつけて挟持、固定されるクランプ材６,６に固定バー８を取付けるのには、例えば図１において組立足場４の一方（右側）の支柱パイプ５に挟持固定した一方のクランプ材６の外側面に連設されて解放部１０を有する上部有端止着輪１１と下部有端止着輪１２とのうち、固定バー８の一端８ｂを右側の下部有端止着輪１２内に挿着するとともに、固定バー８の他端８ａに形成されたリング１３を組立足場４の他方（左側）の支柱パイプ５に挟持固定されている他方のクランプ材６の外側面に連設されて解放部１０を有する上部有端止着輪１１と下部有端止着輪１２とのうち、上部有端止着輪１１に掛着するという簡単な取扱いにより、下から一段目の固定バー８は右下がりの傾斜θをつけて組立足場４の複数本（説明では２本）の支柱パイプ５,５を利用し、この支柱パイプ５,５に挟持、固定されるクランプ材６,６の外側に取付けられた上部有端止着輪１１と下部有端止着輪１２との何れかに取付けられる。
【００３５】
すなわち、前記固定バー８の少なくとも一端８ａに形成される前記リング１３は、その厚みｔが前記解放部１０よりも肉薄に設けられ、前記リング１３の内径φ１が前記上部有端止着輪１１、および下部有端止着輪１２の設置幅Ｔ１より径大に形成され、前記リング１３の外径φ２が前記上部有端止着輪１１、および下部有端止着輪１２に設けられた縦長孔１２ａの横径Ｑより大径に形成されているので、クランプ材６,６のうち、例えば右側のクランプ材６の外側面に連設された解放部１０を有する下部有端止着輪１２に固定バー８の一端８ｂを挿着するとともに、固定バー８の少なくとも他端８ａに形成された前記リング１３を例えば左側のクランプ材６の外側面に連設された解放部１０を有する上部有端止着輪１１に設けた解放部１０内に差し入れてから前記リング１３の内孔内に掛着させることにより、固定バー８を図１，図４の下から１段目の樋部材３のように、右下がりの傾斜θをつけて取付けることができる。
【００３６】
このようにして、組立足場４の支柱パイプ５,５に左右に高低差をつけて挟持、固定されるクランプ材６,６の外側に取付けられた上部有端止着輪１１と下部有端止着輪１２とのうちの下部有端止着輪１２に固定バー８の下流側の一端８ｂを挿着し、固定バー８の上流側の他端８ａに設けたリング１３を上部有端止着輪１１と下部有端止着輪１２とのうちの上部有端止着輪１１に掛着するという右下がりまたは右上がりの傾斜θをつけた操作を連続して繰り返して行うことにより、複数本の固定バー８をつづら折り状態に１段目のように右下がりに、また２段目のように右上がりに傾斜θをつけて建築途中の建物の階下から上階へと固定することができる。
【００３７】
それから、これらの固定バー８,８・・・と、これらの固定バー８,８・・・の傾斜θに沿って外壁面２に第１外縁部３ｂと、当接縁３ｄが上部に位置して当接している前記樋部材３との間に、複数個の保持バー９（図１においては便宜上１個が示されている）を間隔Ｋを調整して介装するという簡単な取扱いにより、前記外壁面２に前記樋部材３は、保持バー９のガススプリング１４の附勢圧により弾力的に押圧保持されて外壁面２に容易かつ確実に取付けることができる。また、外壁面２に傷害物が存在する場合の樋部材３の組付も容易に行える。
【００３８】
ところで、図１および図３に示すように、樋部材３は、断面略Ｕ字状ないしは断面Ｖ字状の樋本体３ａの一端に有する第１外縁部３ｂと、樋本体３ａの他端に有する第２外縁部３ｃの延長線Ｉに略一致して前記第１外縁部３ｂの下方に、該第１外縁部３ｂの長さＬ１と略同長さＬ２に設けられた当接縁３ｄとを外壁面２に上下に当接した状態で、組立足場４の支柱パイプ５,５・・・に前述のように高低差をつけて挟持、固定されるクランプ材６,６・・・の外側面に設けた固定手段７により前記樋部材３と、この樋部材３に対して略同傾斜θにて且つ前記樋部材３よりやや低く前記外壁面２に対向して取付けられた固定バー８との間に、間隔Ｋを調整した複数個の保持バー９を介装するという簡単な取扱いにより、樋部材３は前記外壁面２に保持バー９にて斜め下方より弾力的に押圧保持され、外壁面２に容易かつ確実に緩みがなく取付けられる。従って、建物を建設中のコンクリートよりなる被洗浄躯体１の外壁面２に、直接に何等の取付部品を取付けたり、または取外さなくても外壁面２を傷付けることなく取付けられる。
【００３９】
この際、前記保持バー９を前記固定バー８に対して間隔Ｋを調整してから、固定バー８に着脱自在に取付けるのには、前記固定バー８の外周に摺動可能に外嵌された摺動環１６の外周に軸方向に設けられた断面略Ｌ字状の係止ピン１６ａを長さ調整板１５に設けられた複数の係止孔１５ａのうち、適当な間隔Ｋ位置にあり、ガススプリング１４による充分にして適度の押付け力が得られる位置にある１つを選び、係入することにより、保持バー９は前記固定バー８にワンタッチ操作により取付けることができる。
【００４０】
また、樋部材３を外壁面２から取外すのには、先ず、固定バー８と前記樋部材３との間に介装されている保持バー９を樋部材３から取外し、次いで、組立足場４の支柱パイプ５,５・・・に高低差をつけて挟持、固定された複数個のクランプ材６,６の固定手段７から固定バー８を取外し、その後、クランプ材６,６を組立足場４の支柱パイプ５,５から取外せばよい。
【００４１】
このように、本実施形態のコンクリート製の被洗浄躯体の洗浄汚水排水装置は、ビル、マンション等の建築途中の建築物のように、コンクリートよりなる被洗浄躯体１の外壁面２の前面に、組立足場４を利用して複数個の樋部材３,３・・・を傾斜θをつけて流れ方向イにつづら折り状態に連設するという組立、および分解を建物の建設高さに応じて階下から上階へと繰返して行うものであるのに対して、特許文献１に記載の建物の壁面洗浄装置の発明では、洗浄水を建物の外壁面へ噴射する噴射手段と、回転駆動手段によって回転して外壁面をブラッシングするブラシ体とが筺体に配設され、そして、この筺体の底部には前記外壁面を洗浄後の汚れた洗浄水をタンクに回収するための蛇腹状の排水ダクトを取付けた構造により、外壁面の洗浄作業に伴って排水ダクトは、筺体と一緒に常時、移動するものであるため、筺体のスムーズな移動に邪魔になり、しかも、排水ダクトは、風圧を受けると、噴射手段を備えた筺体も共に揺れ易く、不安定になり、建物壁面の所望個所を洗浄するのが難しくなり、洗浄には多くの時間がかかり、非能率的であったが、本実施形態では、建築中途の建築構造物のようにタイル貼りがなされる外壁面２としてコンクリート下地となるコンクリート製の被洗浄躯体１の表面を建物の階下から上階へと建設する工事手順や作業の進行に応じて効率的に洗浄が行え、工期を短縮できるとともに危険がなく、安定に洗浄を行える。
【００４２】
そして、本実施形態では、洗浄後の洗浄汚水Ｗ１は、例えば前述のように、組立足場４を利用して複数個の樋部材３,３・・・を傾斜θをつけて流れ方向イにつづら折り状態に連設することにより、樋部材３,３・・・内を下方へと流され落とされるので、洗浄が済んだ階下の外壁面２が洗浄作業が行われている上階での洗浄汚水Ｗ１が流れ落ちることにより汚されることはなく、洗浄を行うことができる。従って、洗浄作業が全て済んだ後の外壁面２は白化や型枠に塗布された脱型剤のような油脂成分による汚れを確実に落とせ、綺麗な仕上がりにて迅速かつ確実に洗浄が行え、被洗浄躯体１に対するタイルの付着性も良好である。
【００４３】
また、特許文献１に記載の上記従来のビル等の建物の壁面洗浄装置は、上記のように移動キャリアと、支持機構と、支持ワイヤを巻き上げる駆動巻上装置とが備えられたパラペットが建物の屋上に設けられる必要があるほか、洗浄水を建物の外壁面へ噴射する噴射手段と、回転駆動手段によって回転して外壁面をブラッシングするブラシ体とが筺体に配設され、この筺体の底部には前記外壁面を洗浄後の汚れた洗浄水をタンクに回収するための蛇腹状の排水ダクトを取付けた構成なので、壁面洗浄装置は大規模で大型になり、製作、設備には多くの時間と労力が必要になり、製作費および設備は高価になっていたのとは異なり、本実施形態では組立並びに分解等の施工性が良好であり、構造が簡単で製作、並びに設備が容易であり、コストも安価になる。
【００４４】
なお、図示する上記実施形態では、洗浄後の洗浄汚水Ｗ１は、例えば、組立足場４を利用して複数個の樋部材３,３・・・を傾斜θをつけて流れ方向イにつづら折り状態に連設するようにしているが、これは代表的例示であり、限定する趣旨ではなく、複数個の樋部材３,３・・・を単に流れ方向イに傾斜θをつけて外壁面に取り付けることにより、洗浄汚水Ｗ１を排水させる場合も、本考案の適用範囲である。
【００４５】
上記説明では、被洗浄躯体１としてビル、マンションのようなタイル貼りを行うべき建物の外壁面２を事前に洗浄する場合を代表的に説明したが、これは例示であり、被洗浄躯体１は、建築物に限らず、土木構築物でも適用できる。
【産業上の利用可能性】
【００４６】
本考案は建築中途の建築構造物、または土木構造物の外壁のようなコンクリート下地となるコンクリート製の被洗浄躯体の表面を効率的にかつ綺麗な仕上がりにて洗浄が行えるとともに、洗浄済の洗浄汚水の排水が容易かつ確実に行え、また、組立並びに分解等の施工性が良好であり、構造が簡単で製作、並びに設備が容易であり、コストも安価になる用途・機能に適する。
【符号の説明】
【００４７】
１    被洗浄躯体
２    外壁面
３    樋部材
３ａ  樋本体
３ｂ  第１外縁部
３ｃ  第２外縁部
３ｄ  当接縁
３ｅ  係止片
３ｆ  係止片
４    組立足場
５    支柱パイプ
６    クランプ材
７    固定手段
８    固定バー
９    保持バー
９ａ  押ローラ
１０  解放部
１１  上部有端止着輪
１２  下部有端止着輪
１３  リング
１４  ガススプリング
１５  長さ調整板
１６  摺動環
Ｋ    間隔
Ｗ    高圧ジェット水
Ｗ１  洗浄汚水
【図１】
0003155093.tif 000003
【図２】
0003155093.tif 000004
【図３】
0003155093.tif 000005
【図４】
0003155093.tif 000006